(57)【要約】【課題】生コンクリートを圧送するための圧送管を連結する際の、ジョイントの着脱作業を単純化すること、又、ジョイントの着脱作業の時間の短縮化すること、又、コンクリートの打設において作業効率を向上させることを目的とする。【解決手段】フランジ３が形成された圧送管２であって、フランジ３の外側端面３１に形成された環状の溝３３にＯリング４が設置された一対の圧送管２、２が、フランジ３、３が当接された状態で配置され、上部材５１と下部材５２を備えて構成されたジョイント５が、当接された２枚のフランジ３、３で構成された突出部３０を凹状収納部５０に収納して、ジョイント５で直接突出部３０を挟み込んでいる圧送管の連結構造。【選択図】  図１
2017110491.tif 000002
【特許請求の範囲】
【請求項１】
フランジが形成された圧送管であって、該フランジの外側端面に形成された環状の溝にＯリングが設置された一対の圧送管が、前記フランジが当接された状態で配置され、上部材と下部材を備えて構成されたジョイントが、当接された２枚の前記フランジで構成された突出部を凹状収納部に収納して、ジョイントで直接前記突出部を挟み込んでいることを特徴とする圧送管の連結構造。
【請求項２】
前記ジョイントが閉状態の時に、前記フランジは、前記ジョイントの内側側面が前記フランジの内側端面に接触して、対向する前記フランジ方向に押圧されていることを特徴とする請求項１に記載の圧送管の連結構造。
【請求項３】
前記Ｏリング同士は対向し、相互に押圧されていることを特徴とする請求項１又は２に記載の圧送管の連結構造。
【請求項４】
フランジが形成された圧送管であって、該フランジの外側端面に形成された環状の溝にＯリングが設置された一対の圧送管を、前記フランジが当接された状態に配置し、上部材と下部材を備えて構成されたジョイントで、当接された２枚の前記フランジで構成された突出部を凹状収納部に収納して、ジョイントで直接前記突出部を挟み込むことを特徴とする圧送管の連結方法。
【請求項５】
前記ジョイントが閉状態の時に、前記フランジは、前記ジョイントの内側側面が前記フランジの内側端面に接触して、対向する前記フランジ方向に押圧されることを特徴とする請求項４に記載の圧送管の連結方法。
【請求項６】
前記Ｏリング同士は対向し、相互に押圧することを特徴とする請求項４又は５に記載の圧送管の連結方法。
【発明の詳細な説明】
【技術分野】
【０００１】
本発明は、コンクリートの打設において、生コンクリートを打設箇所へ圧送するための圧送管を連結するための連結構造及びジョイントに関する。
【背景技術】
【０００２】
従来から生コンクリートを圧送するための圧送管を連結するための連結構造として、鉄やステンレス製の金属管やフレキシブルなホースを圧送管として用い、圧送管同士を夫々の圧送管の端部に設けたフランジ同士を当接させ、半円形状に分割されて開閉自在なジョイントであって、上ホルダと下ホルダの夫々にシールパッキンを介装させたジョイントで、シールパッキンを介して両フランジを挟圧して圧送管を連結する構造が採用されていた（特許文献１）。
【０００３】
又、図８に示すように、圧送管１１の端部外周に亘ってフランジ１１１を設け、フランジ１１１を含む端面１１０同士を当接させ、当接部分において、圧送管１１のフランジ１１１の外側面の外周に亘って円形パッキン１２を装着してシールし、半円形状に分割されて開閉自在なジョイント１３でパッキン１２と共にフランジ１１１を挟持して圧送管１１を連結する構造も採用されていた。
【０００４】
このようなジョイントは、主に鋳鉄製であって、半円形状の部材の一端同士をピンで回動自在に支持し、一方の半円形状の部材の他端に回動自在に支持されたボルトを他方の半円形状の他端に形成された溝にボルトを挿入してナットで締結することによりジョイントを締め、圧送管を連結する構造であるので、打設箇所の移動に伴って、その都度、ナットの締めと緩め、ジョイントの開閉、パッキンの着脱を行っていた。
【０００５】
尚、２分割されたジョイントは、一端がピンで回動自在に支持され他端をボルトで締結して固定する構成の他、２分割されたジョイントの夫々の半円形状の部材は分離した構成で、両端をボルトで締結して連結固定する構成も使用されていた。
【先行技術文献】
【特許文献】
【０００６】
【特許文献１】特開平１１−１７２９１８号公報
【発明の概要】
【発明が解決しようとする課題】
【０００７】
このように打設箇所を移動する場合、新たな圧送管を連結し又は／及び連結した圧送管を外す作業が必要であり、そのためにジョイントの着脱作業が必要であった。そして、連結した圧送管を外す場合には、先ず、圧送管を連結しているジョイントのナットを緩め、ジョイントを開けて圧送管から外し、円形パッキンを使用している場合には、１の圧送管をパッキンから抜き、パッキンを他の圧送管から外す作業が必要であった。又、新たな圧送管を連結する場合には、先ず、パッキンを１の圧送管の端部に装着し、他の圧送管の端部をパッキンに挿入して圧送管同士を当接させ、圧送管の接続箇所をパッキンでシールし、パッキンを挟むようにジョイントを装着して、ナットを締めて固定する作業が必要であった。
【０００８】
しかし、このようなジョイントの着脱作業は作業工程が多く、作業が煩雑であり、作業のために多くの時間を必要とするので、コンクリートの打設作業においては圧送管の連結及び解除は頻繁に行われるために、迅速な打設箇所の移動が出来ないという問題点があった。又、作業が煩雑で、作業者への負担が大きいという問題点があった。又、多くの作業時間が必要で、無駄な時間が多いという問題点があった。
【０００９】
又、当接させた圧送管の両フランジ及びフランジを被覆するパッキンをジョイントで挟持する構造の場合、ジョイントの幅はフランジのみを挟持する構造に比べて広くする必要があるため、又、フランジを設けず圧送管の当接部分に装着したパッキンをジョイントで挟持する構造の場合、パッキンのみで水密性を保つためにパッキンの横幅を実用的な範囲で可能な限り広くする必要があるため、鋳鉄製のジョイントが重量化し、作業者の負担が大きく、作業効率の低下という問題点があった。
【００１０】
又、パッキンは消耗品であるので、交換の必要があり、特に特許文献１のようなジョイント内部に組み込み、着脱時にフランジを挟圧する構成の場合、着脱時にフランジと接触し摩耗しやすく、頻繁な交換が必要となり、コストが高くなるという問題点があった。
【００１１】
そこで本発明は、ジョイントを軽量化することを目的の１つとする。又、打設個所の移動を迅速に行えるようにすることを目的の１つとする。又、ジョイントの着脱作業を単純化することを目的の１つとする。又、ジョイントの着脱作業の時間の短縮化することを目的の１つとする。又、作業者の負担を軽減することを目的の１つとする。又、作業効率を向上させることを目的の１つとする。又、コンクリートの打設のコストを低廉化することを目的の１つとする。
【課題を解決するための手段】
【００１２】
上記のような課題を解決するための手段としての本発明は、フランジが形成された圧送管であって、該フランジの外側端面に形成された環状の溝にＯリングが設置された一対の圧送管が、前記フランジが当接された状態で配置され、上部材と下部材を備えて構成されたジョイントが、当接された２枚の前記フランジで構成された突出部を凹状収納部に収納して、ジョイントで直接前記突出部を挟み込んでいることを特徴とする圧送管の連結構造である。
【００１３】
又、上記圧送管の連結構造において、前記ジョイントが閉状態の時に、前記フランジは、前記ジョイントの内側側面が前記フランジの内側端面に接触して、対向する前記フランジ方向に押圧されていることを特徴とする圧送管の連結構造である。
【００１４】
又、上記圧送管の連結構造において、前記Ｏリング同士は対向し、相互に押圧されていることを特徴とする圧送管の連結構造である。
【００１５】
又、フランジが形成された圧送管であって、該フランジの外側端面に形成された環状の溝にＯリングが設置された一対の圧送管を、前記フランジが当接された状態に配置し、上部材と下部材を備えて構成されたジョイントで、当接された２枚の前記フランジで構成された突出部を凹状収納部に収納して、ジョイントで直接前記突出部を挟み込むことを特徴とする圧送管の連結方法である。
【００１６】
又、上記圧送管の連結方法において、前記ジョイントが閉状態の時に、前記フランジは、前記ジョイントの内側側面が前記フランジの内側端面に接触して、対向する前記フランジ方向に押圧されることを特徴とする圧送管の連結方法である。
【００１７】
又、上記圧送管の連結方法において、前記Ｏリング同士は対向し、相互に押圧することを特徴とする圧送管の連結方法である。
【発明の効果】
【００１８】
以上のような本発明によれば、ジョイントを軽量化することが可能となった。又、打設個所の移動を迅速に行えるようにすることが可能となった。又、ジョイントの着脱作業を単純化することが可能となった。又、ジョイントの着脱作業の時間の短縮化することが可能となった。又、作業者の負担を軽減することが可能となった。又、作業効率を向上させることが可能となった。又、コンクリートの打設のコストを低廉化することが可能となった。
【図面の簡単な説明】
【００１９】
【図１】本発明実施例要部断面図
【図２】ジョイント側面図
【図３】ジョイント正面図
【図４】ジョイント背面図
【図５】図２Ａ−Ａ断面図
【図６】本発明実施例要部拡大図
【図７】接続部縦断面図
【図８】従来技術の部分断面図
【発明を実施するための形態】
【００２０】
以下本発明の実施の形態を図を参照して説明する。本発明は、フランジが形成された圧送管であって、該フランジの外側端面に形成された環状の溝にＯリングが設置された一対の圧送管が、前記フランジが当接された状態で配置され、上部材と下部材を備えて構成されたジョイントが、当接された２枚の前記フランジで構成された突出部を凹状収納部に収納して、ジョイントで直接前記突出部を挟み込んでいることを特徴とする圧送管の連結構造であり、圧送管の接続構造部１は圧送管２とジョイント５を備えて構成されている。
【００２１】
図１に示すように、両端が開口した円筒状の圧送管２の端部に外周に亘って外方に突出するフランジ３が形成されている。フランジ３は外側端面３１が平坦で、内側端面３２は端部方向に傾斜し、外方が細い台形状に構成されている。又、フランジ３の外側端面３１には環状の溝３３が形成され、溝３３にはＯリング４が嵌め込まれて設置されている。
【００２２】
圧送管２の端部同士を当接させると、フランジ３同士が当接し、圧送管２の内周を底辺、外周を上辺とし、底辺より上辺が短い突出部３０が形成される。言い換えれば、突出部３０は、縦断面視で圧送管２の外方向に縮径した形状となる。圧送管２の端部同士を当接させた時には、溝３３、３３同士が対向し、Ｏリング４、４同士が対向し、相互に押圧され、圧送管２、２同士の接続部の水密性を保つ。
【００２３】
圧送管２は両端が開口した円筒状の本体部２１に両端が開口し、一端部にフランジ３が形成された円筒状の端部材２２を溶接等により接続して形成している。尚、図示はしないが、圧送管は、一体成型された構成でもよく、円筒状の管の端部外周に別途構成した突出部を溶接等により接続して形成する構成としてもよい。
【００２４】
ジョイント５は、図１〜４に示すように、上部材５１と下部材５２の２つに分割された部材を備えて構成され、側面視で略半円形状の上部材５１の一端部に設けた連結用突出片５１１と側面視で略半円形状の下部材５２の一端部に設けた連結用突出片５２１同士をピン５３で連結し、下部材５２の他端部に設けた２枚のボルト設置用突出片５２２、５２２間にピン５６でボルト５５の一端を回動自在に設置し、上部材５１の他端部に設けた２枚のボルト挿入用突出片５１２、５１２間に構成されたボルト挿入溝５１５にボルト５５を挿入し、ボルト５５にナット５７を締結して、ボルト５５をボルト挿入溝５１５に固定し、ジョイント５を締める構成としている。
【００２５】
ピン５３は、リベットを用いてかしめて設置するが、頭部と反対側の端部に溝を形成して、該溝にスナップリングを嵌めて設置してもよく、又、頭部と反対側の端部に孔を形成して、該孔にピンを挿入して設置してもよい。ボルト５５はデンデンボルトを用いることが出来、ボルト５５を回動自在に支持するピン５６の構成は、リベットを用いてかしめて設置するが、頭部と反対側の端部に溝を形成して、該溝にスナップリングを嵌めて設置してもよく、又、頭部と反対側の端部に孔を形成して、該孔にピンを挿入して設置してもよい。
【００２６】
この実施の形態では、上部材５１と下部材５２をピン５３で回動自在に連結しているので、１個のボルトの締結で閉めることが出来、後述する完全分割型のジョイントに比べて作業が容易であるので、このような構成が好ましい。
【００２７】
又、図示はしないが、２分割されたジョイントの夫々の半円形状の部材は分離した構成で、両端をボルトで締結して連結固定する構成としてもよい。具体的には、ジョイントは、側面視で略半円形状の上部材と下部材の２つに分割された部材を備えて構成され、上部材及び下部材の夫々は、一端部に設けた２枚のボルト設置用突出片間にピンでボルトの一端を回動自在に設置し、他端部に２枚のボルト挿入用突出片を設けてボルト挿入溝を形成し、上部材に設けた２枚のボルト挿入用突出片間に構成されたボルト挿入溝に下部材に設置したボルトを挿入し、ボルトにナットを締結して、ボルトをボルト挿入溝に固定すると共に、下部材に設けた２枚のボルト挿入用突出片間に構成されたボルト挿入溝に上部材に設置したボルトを挿入し、ボルトにナットを締結して、ボルトをボルト挿入溝に固定してジョイントを締める構成としてもよい。
【００２８】
更に、上部材又は下部材の両端部に設けた２枚のボルト設置用突出片間にピンでボルトの一端を回動自在に設置し、ボルトを設けていない下部材又は上部材の両端部に２枚のボルト挿入用突出片を設けてボルト挿入溝を形成する構成としてもよい。
【００２９】
ボルト５５は、一条ねじを用いてもよいが、二条ねじや三条ねじ等の多条ねじを用いることが好ましい。このような構成とすることで、ボルトナットの締結及び緩めの作業時間が短縮され作業者性が向上するからである。
【００３０】
圧送管２同士を確実に連結し水密性を持たせるために、圧送管２の端部同士、即ちフランジ３、３同士を可能な限り密着させることが望ましい。そこで、ジョイント５が閉状態の時に、フランジ３は、ジョイント５の内側側面５０１がフランジ３の内側端面３２に接触した状態であり、他の対向するフランジ３方向に押圧されている構成としている。
【００３１】
具体的には、ジョイント５の内側の形状は、図１及び図５に示すように、内側の縦断面形状がジョイント５の外側方向に向かって狭くなる台形状の凹状収納部５０が構成され、ジョイント５の内側側面５０１のジョイント５の正面視の縦断面に対する角度はフランジ３の内側端面３２の圧送管２の側面視の縦断面に対する角度と同一に形成されている。このような構成とするとで、ボルト５５を締めるにしたがって上部材５１と下部材５２が閉じられると共にフランジ３同士の密着が強まる。
【００３２】
尚、図示はしないが、突出部を図１に示すような縦断面視で圧送管の外方向に縮径した台形状に構成すると共にジョイント５の縦断面をコの字型に形成する構成、突出部を縦断面視で長方形に構成すると共にジョイント５の凹状収納部を図１に示すような台形状に形成する構成、突出部及び凹状収納部を台形状に形成すると共に突出部の側辺を凹状収納部の側辺より緩やかな傾斜とする構成を採用することとしてもよい。
【００３３】
圧送管２の同士を連結する際には、一対の圧送管２の端部同士をフランジ３同士を当接させた状態に配置し、ジョイント５をナット５７を緩めてボルト５５をボルト挿入溝５１５から抜いて、上部材５１と下部材５２を開いた状態で準備する。そして、対向して当接するフランジ３、３で構成された突出部３０を覆うように上部材５１と下部材５２を閉じる。突出部３０は凹状収納部５０に収納され、上部材５１と下部材５２に直接挟まれる。ジョイント５とフランジ３、３或いは突出部３０との間には何も介在させず、直接接触し、ジョイント５で直接突出部３０を挟み込んでいる。そして、ボルト５５を回動させてボルト挿入溝５１５に挿入し、ナット５７を締める。ナット５７を締めることにより、上部材５１と下部材５２が閉じて、ジョイント５の内側側面５０１がフランジ３の内側端面３２を他のフランジ３方向に押圧し、ジョイント５により突出部３０を挟み込み、フランジ３、３同士が当接すると共にＯリング４、４同士が対向して、当接し、相互に押圧する。このようにして、圧送管２の同士が水密性を持って連結された状態として、ポンプを用いて生コンクリートを圧送管２を通して打設箇所に圧送することが出来る。
【００３４】
圧送管２の同士の連結を外す際には、ジョイント５をナット５７を緩めてボルト５５をボルト挿入溝５１５から抜いて、上部材５１と下部材５２を開き、圧送管２からジョイント５を外す。そして、フランジ３同士の当接を解除し、圧送管２の同士の連結を外す。
【００３５】
このように、本発明によれば、圧送管２の外周にパッキンを使用しないので、圧送管２の同士を連結する際に圧送管２の連結部分にパッキンを設置し、パッキンに圧送管を挿入する必要がなく、又、圧送管２の同士の連結を外す際にパッキンから圧送管を抜き、圧送管２からパッキンを外す必要がないので、ジョイントの着脱作業を単純化すること、ジョイントの着脱作業の時間の短縮化すること、作業者の負担を軽減すること、作業効率を向上させること、打設個所の移動の迅速化、ジョイントを軽量化が可能となった。又、コンクリートの打設のコストを低廉化することが可能となった。
【００３６】
圧送管２の構造は、上述のように、連結する２本の送圧管２、２の両端部に溝を形成してＯリング４を設置する構成に限定されず、図６に示すように、連結する２本の送圧管２８、２９のうち一方の送圧管２８の端部にのみ溝３３１を形成し、一方の送圧管２８の端部にのみＯリング４を設置する構成としてもよい。この場合、突出部３の端面に相互に対応する凸段部３８と凹段部３９を構成して水密性を高める構成としてもよく（図６（ａ））、突出部３の端面を平坦に構成してもよい（図６（ｂ））。
【産業上の利用可能性】
【００３７】
以上のような本発明は、コンクリートの打設の効率化及び迅速化を図ることが出来るので、建設業において極めて有用に利用することが出来る。
【符号の説明】
【００３８】
１    接続構造部
２    圧送管
２１  本体部
２２  端部材
３    フランジ
３０  突出部
３３  溝
４    Ｏリング
５    ジョイント
５１  上部材
５２  下部材
５５  ボルト
【図１】
2017110491.tif 000003
【図２】
2017110491.tif 000004
【図３】
2017110491.tif 000005
【図４】
2017110491.tif 000006
【図５】
2017110491.tif 000007
【図６】
2017110491.tif 000008
【図７】
2017110491.tif 000009
【図８】
2017110491.tif 000010